(57)【要約】      （修正有）【課題】構図型板の使用をより便利にし、操作をより簡易にし、物件表面に多重配色の図案を印刷或いはペイントすることができる構図型板を提供する。【解決手段】構図型板は、主板１、及び主板１の上、下、左、右周縁に延伸する複数の副板２を備え、主板１は貫通線により特定の主図案を形成し、背面には粘着材を備え、副板２は貫通線により主板の主図案とは異なる位置に、対応する副図案を形成し、表面には静電処理を施し、離型紙１９をそれぞれ粘着する。使用時には、構図を印刷或いはペイントしようとする物件に主板１を平らに置き、異なる副板２を内側へと折り、主板１に重ね、静電気により主板１に密着させ、様々な色の顔料を貫通線にスプレー或いは塗布し、物件表面に多重配色の図案を印刷或いはペイントすることができる。【選択図】図２
0003151733.tif 000002
【実用新案登録請求の範囲】
【請求項１】
主板と副板を備え、
前記主板は、貫通線により特定の主図案を形成し、
前記副板は、前記主板の周縁より延伸し、貫通線により、前記主板の主図案とは異なる位置に、対応する副図案を形成し、これにより、前記各副図案と前記主板の主図案とのそれぞれの位置の形状、大きさは相同となり、
上記した構成部品の組合せにより、構図型板を構成し、
使用時には、構図を印刷或いはペイントしようとする物件に前記主板を平らに置き、前記主板周縁に接続する、異なる副板を内側へと折り、前記主板に重ね、様々な色の顔料を貫通線にスプレー或いは塗布し、物件表面に多重配色の図案を印刷或いはペイントすることを特徴とする構図型板。
【請求項２】
請求項１記載の構図型板において、前記副板を折り前記主板に重ねる時の便のため、前記主板と前記副板との接続部分には、それぞれ折れ線を形成することを特徴とする構図型板。
【請求項３】
請求項１記載の構図型板において、前記構図を垂直物件に粘着させる際の便のため、前記主板の背面には、粘着材を設置することを特徴とする構図型板。
【請求項４】
請求項１記載の構図型板において、前記各副板を前記主板上に密着させ重ねる便のため、前記各副板の表面には、静電処理を施すことを特徴とする構図型板。
【請求項５】
請求項１記載の構図型板において、前記主板の四隅位置には、オーバーハング状のサブ副板を複数延伸し、
これにより、前記各サブ副板は、斜めに折られ、前記主板に重なり、様々な色の顔料を貫通線にスプレー或いは塗布することで、物件表面に多重配色の図案を印刷或いはペイントすることを特徴とする構図型板。
【考案の詳細な説明】
【技術分野】
【０００１】
本考案は構図型板に関し、特に使用の利便性が高く、操作が簡易で、多重配色図案を印刷或いはペイントできる構図型板に関する。
【背景技術】
【０００２】
一般に物件の表面における図案の印刷或いはペイントに用いる構図型板は、通常は図１に示すように、板体４を備える。
板体４には、貫通した線により、特定の図案４１を形成する。
使用時には、印刷或いはペイントしようとする物件上に、該板体４を定位し、貫通線に顔料をスプレー或いは塗布し、物件表面に完全な図案を印刷或いはペイントする。
【０００３】
但し、該図案４１の異なる位置(図中のミニ花、花茎、葉などの位置参照)に、異なる色を着色しようとする時には、従来の構図型板では、他の未着色の位置にテープ、シールを貼って遮蔽し、加工後には一つ一つ剥がし、さらに、既に着色された位置に貼る必要がある。
これでは、時間がかかり過ぎ、操作も非常に不便で、作業効率が悪い。
【考案の概要】
【考案が解決しようとする課題】
【０００４】
本考案の目的は、使用の利便性を高め、操作を簡易にし、しかも多重配色の図案を印刷或いはペイント可能な構図型板を提供することである。
【課題を解決するための手段】
【０００５】
上記目的を解決するため、本考案は下記の構図型板を提供する。
構図型板は、主板、及び主板の上、下、左、右周縁に延伸する複数の副板を備え、
該主板は、貫通線により特定の主図案を形成し、背面には粘着材を備え、
該各副板は、貫通線により該主板の主図案とは異なる位置に、対応する副図案を形成し、表面には静電処理を施し、離型紙をそれぞれ粘着させ、
使用時には、構図を印刷或いはペイントしようとする物件に主板を平らに置き、異なる副板２を内側へと折り、該主板に重ね、静電気により主板に密着させ、様々な色の顔料を貫通線にスプレー或いは塗布し、物件表面に多重配色の図案を印刷或いはペイントすることができ、
該副板を折り該主板に重ねる時の便のため、該主板と該副板との接続部分には、それぞれ折れ線を形成し、
該主板の四隅位置には、オーバーハング状のサブ副板を複数延伸し、これにより、該各サブ副板は斜めに折られ、該主板に重なり、様々な色の顔料を貫通線にスプレー或いは塗布することで、物件表面に多重配色の図案を印刷或いはペイントすることができる。
【考案の効果】
【０００６】
本考案は、貫通線による主図案を形成する主板に、主板と接続し、しかも貫通線による副図案を形成する副板を対応させることで、構図型板の使用をより便利にし、操作をより簡易にし、物件表面に多重配色の図案を印刷或いはペイントすることができる。
【図面の簡単な説明】
【０００７】
【図１】従来の構図型板の平面図である。
【図２】本考案の立体図である。
【図３】本考案の平面図である。
【図４】本考案第一実施例の使用図である。
【図５】本考案第一実施例の使用図である。
【図６】本考案第一実施例を用い印刷或いはペイントを完成させた図案の模式図である。
【図７】本考案第一実施例を用い印刷或いはペイントを完成させた図案の模式図である。
【図８】本考案第二実施例の平面図である。
【図９】本考案第二実施例を用い印刷或いはペイントを完成させた図案の模式図である。
【考案を実施するための形態】
【０００８】
図２、３に示すように、本考案は少なくとも主板１、及び主板１の上、下、左、右周縁に延伸する複数の副板を備える。主板１と各副板２との間の接続部分には、それぞれ折り線３を設置し、これにより各副板２を折り、主板１に重ねることができる。
主板１は、貫通線により特定の主図案を形成する。本考案の第一実施例では、主図案は、花びら１０、花びら１０周縁のミニ花１１、花びら１０中心の花芯１１１、ミニ花１１下方の花茎１２、及び花茎１２両側に位置する左の葉１３、１４、右の葉１５、１６、葉芯１７、１８を形成する。背面には、粘着材を備え、これにより離型紙１９を粘着する。
各副板２は、貫通線により、主板１の主図案とは異なる位置に、対応する副図案を形成する。本考案の第一実施例では、各副板２は、独立した花びら２０、花びら２０周縁のミニ花２１、花びら２０中心の花芯２１１、花茎２２、左の葉２３、２４、右の葉２５、２６、葉芯２７、２８を形成する。これにより、各副図案と主板１の主図案とのそれぞれの位置の形状、大きさは相同となる。その表面には、静電処理を行い、離型紙２９を粘着する。
【０００９】
上記した構成部品の組合せにより、構図型板を構成し、使用時には、構図を印刷或いはペイントしようとする物件に主板１を平らに置き、或いは離型紙１９を剥がし、構図を印刷或いはペイントしようとする垂直物件に、主板１を粘着させる。主板１上、下、左、右周縁に接続する、異なる副板２の離型紙２９をそれぞれ剥がし、折り線３において内側へと折り、しかも、副板２を主板１上に静電粘着させて重ねる。こうして、様々な色の顔料を貫通線にスプレー或いは塗布し、物件表面に多重配色の図案を印刷或いはペイントすることができる。
【００１０】
図２、４に示すように、本考案の使用時には、先ず構図を印刷或いはペイントしようとする物件に主板１を定位し、構図を印刷或いはペイントしようとする物件に平らに置き、或いは離型紙１９を剥がし、構図を印刷或いはペイントしようとする垂直物件に主板１を粘着させる。各副板２の離型紙２９を剥がし、内側へと折り、主板１上に重ねて密着させ、こうして様々な色の顔料を貫通線にスプレー或いは塗布することができる。図に示すように、副図案である花芯２１１、葉芯２７、２８を形成する副板２を、主板１へと折畳み、主板１上に密着させる。こうして、花芯２１１、葉芯２７、２８以外の位置は遮蔽され、様々な色の顔料をスプレー或いは塗布後には、物件表面には、花芯２１１、葉芯２７、２８の図案が印刷或いはペイントされている。
【００１１】
次に図２、５に示すように、花芯２１１、葉芯２７、２８の図案を印刷或いはペイント後には、他の異なる副板２を内側へと折り、主板１に重ね、様々な色の顔料を貫通線にスプレー或いは塗布する。図に示すように、副図案である左の葉２３、２４と右の葉２５、２６を形成する副板２を、主板１へと折畳み、主板１上に密着させる。こうして、左の葉２３、２４と右の葉２５、２６以外の位置は遮蔽され、様々な色の顔料をスプレー或いは塗布後には、物件表面には、左の葉２３、２４と右の葉２５、２６の図案が印刷或いはペイントされている。
【００１２】
上記した操作過程において、ミニ花２１、花茎２２を形成する副板２、及び花びら２０を形成する副板２も、相同の方法で、主板１へと折畳み、様々な色の顔料を貫通線にスプレー或いは塗布する方式で、物件表面に多重配色の図案を印刷或いはペイントすることができる。
【００１３】
上記した操作の後に、本考案は図６、７に示すような多重配色の図案を物件表面に印刷或いはペイントすることができる。図に示すように、形成された完成図案の花びら１０、花びら１０周縁のミニ花１１、花びら１０中心の花芯１１１、ミニ花１１下方の花茎１２、及び花茎１２両側に位置する左の葉１３、１４、右の葉１５、１６、葉芯１７、１８は、それぞれ異なる色彩で表現される。本考案の操作過程では、従来の構図型板で必要であった未着色の位置に、テープ、シールを貼って遮蔽する過程を必要としないため、構図型板の使用の利便性と作業効率が大幅に向上する。
【００１４】
図８に示すように、本考案の第二実施例では、主板１の四隅位置に、オーバーハング状のサブ副板２ａを複数延伸する。これにより、各サブ副板２ａは、斜めに折られ、主板１に重なる。第一実施例と同様に、主板１には主図案を形成し、各サブ副板２ａには、一部の花びら２０ａ、ミニ花２１ａ、花芯２１１ａ、花茎２２ａ、左の葉２３ａ、２４ａ、右の葉２５ａ、２６ａ、葉芯２７ａ、２８ａ(図中の２分の１或いは一部の図案)が形成される。こうして、各サブ副板２ａは斜めに折られ、主板１上に密着して重なり、様々な色の顔料を貫通線にスプレー或いは塗布することで、図９に示すように、物件表面に多重配色の図案を印刷或いはペイントすることができ、構図型板の実用的な価値を高めることができる。
【００１５】
本考案は、貫通線による主図案を形成する主板に、主板と接続し、しかも貫通線による副図案を形成する副板を対応させることで、構図型板の使用をより便利にし、操作をより簡易にし、物件表面に多重配色の図案を印刷或いはペイントすることができる。
【符号の説明】
【００１６】
１  主板
１０  花びら
１１  ミニ花
１１１  花芯
１２  花茎
１３  左の葉
１４  左の葉
１５  右の葉
１６  右の葉
１７  葉芯
１８  葉芯
２  副板
２０  花びら
２１  ミニ花
２１１  花芯
２２  花茎
２３  左の葉
２４  左の葉
２５  右の葉
２６  右の葉
２７  葉芯
２８  葉芯
３  折り線
２ａ  サブ副板
２０ａ  花びら
２１ａ  ミニ花
２１１ａ  花芯
２２ａ  花茎
２３ａ  左の葉
２４ａ  左の葉
２５ａ  右の葉
２６ａ  右の葉
２７ａ  葉芯
２８ａ  葉芯
４  板体
４１  図案
１９  離型紙
２９  離型紙
【図１】
0003151733.tif 000003
【図２】
0003151733.tif 000004
【図３】
0003151733.tif 000005
【図４】
0003151733.tif 000006
【図５】
0003151733.tif 000007
【図６】
0003151733.tif 000008
【図７】
0003151733.tif 000009
【図８】
0003151733.tif 000010
【図９】
0003151733.tif 000011